(57)【特許請求の範囲】
【請求項１】
以下の要件を備えることを特徴とするカップ玩具
（イ）上記カップ玩具は、密閉した容器の内側を仕切り板で上室と下室とに仕切られ、下室内には飲料を模した液体が収容されていること
（ロ）上記仕切り板の周縁には上記上室と下室とを連通させる複数の小孔が所定間隔をおいて形成され、中央には上記上室と下室とを連通させた通気筒を設け、該通気筒は制御弁で開閉が制御されるようになっていること
（ハ）上記制御弁は、付勢部材によって上記通気筒を閉鎖するように作動すること
（ニ）上記制御弁は、付勢解除部材によって上記付勢部材の付勢力に抗して上記通気筒を開放するように作動すること
【請求項２】
前記制御弁内部には第１の磁石を設け、前記付勢解除部材を該第１の磁石に作用する第２の磁石で構成し、該第２の磁石が第１の磁石に作用したときには前記付勢部材の付勢力に抗して前記通気筒を開放することを特徴とする、請求項１記載のカップ玩具。
【請求項３】
前記請求項１に記載されたカップ玩具に擬似的に飲料を供給するディスペンサ玩具であって、該ディスペンサ玩具は前記カップ玩具を載置する載置台と、該載置台の上方に前記制御弁による通気筒の開閉を制御する制御装置を備えたことを特徴とする、ディスペンサ玩具。
【請求項４】
以下の要件を備えることを特徴とする、請求項３記載のディスペンサ玩具。
（イ）前記カップ玩具は前記制御弁内部に第１の磁石を設けるとともに、前記付勢部材の付勢を解除する前記付勢解除部材を上記第１の磁石に作用する第２の磁石で構成したこと
（ロ）前記制御装置は前記第２の磁石を備えた可動部材と、該可動部材を作動操作する操作部材とを備え、該操作部材の操作時には上記可動部材の第２の磁石は前記制御弁内部に設けられた第１の磁石に作用し、前記付勢部材の付勢力に抗して前記通気筒を開放すること
【発明の詳細な説明】
【技術分野】
【０００１】
本発明は、カップ玩具とそのカップ玩具に擬似的に飲料を供給するディスペンサ玩具に関するものである。
【背景技術】
【０００２】
従来、内部に収容した飲み物を模した液体が、容器を逆さまにすると容器内の液体が消えたように見える哺乳瓶玩具が提案されている（例えば、特許文献１）。この哺乳瓶玩具は下容器の中空壁内にミルクを模した白い不透明な液体ａを充填しておき、人形の口に哺乳瓶玩具の先端を差し込んでミルクを飲ませるように傾けると、下容器と上容器とは仕切り壁で仕切られて貫通孔だけで連通しているので、下容器内の液体は貫通孔を通って徐々に上容器内に移動し、下容器内の液体が少くなって、恰も人形がミルクを飲んだために哺乳瓶内のミルクが減ったような状態を作り出すことができるようにしたものである。
【特許文献１】実用新案登録第３０７９１０３号公報
【発明の開示】
【発明が解決しようとする課題】
【０００３】
本発明が解決しようとする問題点は、上述の哺乳瓶玩具は、哺乳瓶玩具を傾けることにより下容器内の液体は貫通口を通して上容器内に徐々に移動するが、傾けた状態を垂直の状態に戻すと上容器内の液体は徐々に下容器内に戻ってしまうため、ミルクを飲ませるときはリアル感があるが、哺乳瓶玩具を元の状態に戻すと液体は勝手に下容器内に戻ってしまうのでこの点でリアル感に欠ける問題があった。
【０００４】
本発明は、上記問題点を解決し、カップ玩具を傾けるとカップ玩具内の液体が徐々に見えなくなり、カップ玩具の傾きを直しても見えなくなった液体は元に戻らず、ディスペンサ玩具にセットして操作部材を操作するとカップ玩具内に液体が戻り、あたかもディスペンサから飲み物がカップに注がれているようなリアル感のあるカップ玩具とそのカップ玩具に擬似的に飲料を供給するディスペンサ玩具を提供することを課題とする。
【課題を解決するための手段】
【０００５】
前記課題を解決するために本発明に係るカップ玩具は、以下の要件を備えることを特徴とする。
（イ）上記カップ玩具は、密閉した容器の内側を仕切り板で上室と下室とに仕切られ、下室内には飲料を模した液体が収容されていること
（ロ）上記仕切り板の周縁には上記上室と下室とを連通させる複数の小孔が所定間隔をおいて形成され、中央には上記上室と下室とを連通させた通気筒を設け、該通気筒は制御弁で開閉が制御されるようになっていること
（ハ）上記制御弁は、付勢部材によって上記通気筒を閉鎖するように作動すること
（ニ）上記制御弁は、付勢解除部材によって上記付勢部材の付勢力に抗して上記通気筒を開放するように作動すること
【０００６】
なお、前記制御弁内部には第１の磁石を設け、前記付勢解除部材を該第１の磁石に作用する第２の磁石で構成し、該第２の磁石が第１の磁石に作用したときには前記付勢部材の付勢力に抗して前記通気筒を開放することが好ましい。
【０００７】
また、ディスペンサ玩具は、前記請求項１に記載されたカップ玩具に擬似的に飲料を供給するディスペンサ玩具であって、該ディスペンサ玩具は前記カップ玩具を載置する載置台と、該載置台の上方に前記制御弁による通気筒の開閉を制御する制御装置を備えればよい。
【０００８】
そして、ディスペンサ玩具は、以下の要件を備えることが好ましい。
（イ）前記カップ玩具は前記制御弁内部に第１の磁石を設けるとともに、前記付勢部材の付勢を解除する前記付勢解除部材を上記第１の磁石に作用する第２の磁石で構成したこと
（ロ）前記制御装置は前記第２の磁石を備えた可動部材と、該可動部材を作動操作する操作部材とを備え、該操作部材の操作時には上記可動部材の第２の磁石は前記制御弁内部に設けられた第１の磁石に作用し、前記付勢部材の付勢力に抗して前記通気筒を開放すること
【発明の効果】
【０００９】
請求項１の発明によれば、カップ玩具を傾けると下室内の液体は小孔を介して上室内に流入させると、カップ玩具を元に戻しても流入した液体で小孔が塞がれ上室は閉鎖空間となり、上室内の液体は下室に戻ることができないので、カップ内の飲料は飲まれた状態を維持することができる。そして、付勢解除部材で付勢部材の付勢力に抗して通気筒を開放するまでは一旦上室に流入した液体は下室に戻ることがなくリアル感のあるカップ玩具を実現することができる。
【００１０】
請求項２の発明によれば、制御弁に第１の磁石を設け、付勢解除部材を第２の磁石で構成することにより、第２の磁石をコップ玩具に接近させると、制御弁に設けた第１の磁石を吸引して制御弁を動かして通気筒を開放するので、下室内の空気が上室内に流入し上室内の液体は小孔を介して下室内に流入するので、あたかもディスペンサがコップに飲み物を供給しているように見える、リアル感のあるディスペンサ玩具を提案することができる。
【００１１】
請求項３の発明によれば、ディスペンサ玩具にはカップ玩具を載置する載置台と、載置台の上方に通気筒の開閉を制御する制御装置を設けたので、カップ玩具をディスペンサ玩具の載置台に載せて、制御装置を操作すれば制御弁が動いて通気筒を開放するので、下室内の空気が上室内に流入し、上室内の液体は小孔を介して下室内に流入し、あたかもディスペンサがコップに飲み物を供給しているように見える、リアル感のあるディスペンサ玩具を提案することができる。
【００１２】
請求項４の発明によれば、操作部材を操作することにより、可動部材に設けた第2の磁石がコップ玩具に接近して第1の磁石を吸引することにより制御弁を動かして通気筒を開放することができ、下室内の空気が上室内に流入し上室内の液体は小孔を介して下室内に流入するので、操作部材を操作するだけでコップ玩具に直接手をかけることなくコップに飲み物を供給しているように見え、実際のディスペンサのような操作感と、リアル感を楽しむことができるディスペンサ玩具を実現することができる。
【発明を実施するための最良の形態】
【００１３】
図１は、本発明に係る飲み物を入れるカップを模して形成されたカップ玩具１と、このカップ玩具１に飲み物を擬似的に供給するディスペンサ玩具２を示す。
【００１４】
カップ玩具１は、図２に示すように、カップ１１と、キャップ１２とを合体させることにより密封された容器１０を形成し、この容器１０の内部は仕切り板１３で、下室ＬＲと上室ＵＲとに仕切られている。そして、下室ＬＲは実質的な容積が小さくなるように内部に中空体１４が収容されている。この中空体１４はカップ１５と、カップ１５を密閉する蓋１６とで構成され、蓋１６の上面に突出して形成された嵌合凸部１７を仕切り板１３の下面に形成された嵌合凹部１８に嵌合させることにより下室ＬＲ内に固定されるようになっている。
【００１５】
そして、キャップ１２は不透明なカバー２０で覆われている。このカバー２０には複数の嵌合孔２１が形成され、キャップ１２の上面に突出して形成された複数の嵌合凸部２２を嵌め合わせることによって、キャップ１２にカバー２０を固定することができるようになっている。
【００１６】
また、仕切り板１３には周縁に小孔２３が所定間隔をおいて複数形成され、この小孔２３を介して下室ＬＲと上室ＵＲとは連通している。さらに、中央には下室ＬＲと上室ＵＲとを連通させる通気筒２５が設けてある。この通気筒２５は上方に円筒状に突出し、この通気筒２５の先端にはゴム製のＯリング２６を保持するとともに、制御弁２７の上下動をガイドするガイド筒２８が取り付けられている。
【００１７】
制御弁２７は先端２７ａがＯリング２６の内周面に密着するように略半球状に形成され、上面に形成された嵌合凹部２９には磁石（以下、第１の磁石という）Ｍ１が嵌め込まれている。この制御弁２７は付勢部材（本発明ではコイルスプリングで構成）３１で下方に付勢され、先端２７ａがＯリング２６に密着し、通常は通気筒２５を閉鎖するようになっている。
【００１８】
なお、キャップ１２の上面にはカップ玩具を組み立てた後、飲料を模した液体Ｌを注入するための注入孔３２が形成され、この注入孔３２は液体Ｌの注入後は栓３３で塞がれて外されることはない。また、注入孔３２から注入する液体Ｌは上室ＵＲ内に注入されることになるが、注入する液体Ｌの量は、仕切り板１３に形成された通気筒２５の高さを超えないようにすればよい。
【００１９】
上記カップ玩具１は、カップ１１の中に中空体１４を収容し、仕切り板１３で塞いだ後、キャップ１２を取り付け、注入孔３２から液体Ｌを注入した後、栓３３で注入孔３２を塞ぎ、カバー２０を被せれば、図３（ａ）に示すように、カップ玩具１を組み上げることができる。
【００２０】
このように組み上げたカップ玩具１は、図３（ｂ）に示すように、カップ１１の上面が仕切り板１３で塞がれ、内部に収容した中空体１４の外壁面とカップ１１の内壁面とで形成された空間が下室ＬＲを構成し、仕切り板１３とキャップ１２の内壁面とで形成された空間が上室ＵＲを構成し、下室ＬＲと上室ＵＲとは小孔２３で連通している。
【００２１】
そして、仕切り板１３の中央上面に形成された通気筒２５の上部開口部にはＯリング２６が配置され、制御弁２７が付勢部材３１で下方に付勢されて先端２７ａはＯリング２６に圧接し、通気筒２５の開口部を塞いでいる。
【００２２】
次に、上記カップ玩具１の使用態様について説明する。
【００２３】
図示しないが、人形玩具等にジュースを飲ませるように、カップ玩具１を傾けると（図４（ａ）参照）、下室ＬＲ内の液体Ｌは、下側に位置した小孔２３から上室ＵＲ内に流入し（矢印ａ）、下室ＬＲ内の空気は上側に位置した小孔２３から下室ＬＲ内に押出される（矢印ｂ）。図４（ｂ）に示すように、カップ玩具１を逆さまにすると、下室ＬＲ内の液体Ｌは、ほぼ全量上室ＵＲ内に移動することになる。仕切り板１３の通気筒２５の上部開口部はＯリング２６に付勢部材３１で付勢された制御弁２７の先端２７ａが圧接しているので、液体Ｌは通気筒２５を経由して下室ＬＲ内に流入することはない。
【００２４】
液体Ｌが上室ＵＲ内に流入した状態のカップ玩具１を、図５（ａ）に示すように、元の状態に戻すと上室ＵＲ内には液体Ｌが収容された状態になり下室ＬＲ内には液体Ｌがなくなり、外観上は液体Ｌが全てカップ玩具１から流出し、人形にカップ内のジュースを全て飲ませたように見える。
【００２５】
このカップ玩具１の上室ＵＲ内に流入した液体を下室ＬＲに戻すためには、カップ玩具１の上面に付勢解除部材である第2の磁石Ｍ２を接近させればよい。
【００２６】
この第２の磁石Ｍ２をカップ玩具１の上面に接近させると、制御弁２７に設けた第１の磁石Ｍ１は第２の磁石Ｍ２に吸引され、図５（ｂ）に示すように、制御弁２７は付勢部材３１に抗して上昇することになる。
【００２７】
制御弁２７が上昇すると、通気筒２５の上部は開放され、下室ＬＲと上室ＵＲとは通気筒２５を介して連通することになる。通気筒２５が開放されると、上室ＵＲは密封された空間ではなくなり下室ＬＲ内の空気は通気筒２５を経由して上室ＵＲ内に流入（矢印ａ）できる状態になるので、空気より重い液体Ｌは仕切り板１３の小孔２３を通って下室ＬＲ内に流入（矢印ｂ）することになり、上室ＵＲ内の液体Ｌは全て下室ＬＲ内に戻すことができる。
【００２８】
上記、第２の磁石Ｍ２は、図６に示すように、飲み物を入れたビン等を模して形成された飲み物容器玩具３５の先端に配設してもよい。飲み物容器玩具３５の先端をカップ玩具１の上面に接近させると飲み物容器玩具３５の第2の磁石Ｍ２が、カップ玩具１の第１の磁石Ｍ１を吸引するので、あたかも飲み物が飲み物容器からカップに注がれているように見せることができる。
【００２９】
なお、上述のカップ玩具は、制御弁に第１の磁石を設け、付勢解除部材を第１の磁石に作用する第２の磁石で構成した場合について説明したが、磁石を用いることなく制御弁の作動を制御するようにしても構わない。この場合、図７（ａ）に示すように、付勢解除部材を押しボタン３６で構成し、この押しボタン３６の上面を天板１２ａを変形可能にしたキャップ１２の天板１２ａ内側面に当接させ、図７（ｂ）に示すように、天板１２ａを上から押圧することにより、押しボタン３６を介して制御弁２７を押し下げ、通気筒２５を開放するようにしても構わない。
【００３０】
次に、上記カップ玩具１に擬似的に飲料を供給するディスペンサ玩具２について説明する。
【００３１】
この、ディスペンサ玩具２は、カップ玩具１を複数並接して載置できる載置台４０と、載置台４０の上方に配置された屋根を模して形成された天板４１とで店舗を模して形成された前面が開口した箱状のもので、天板４１の前面は斜め下方に傾斜して後述する制御装置５０の操作部材５１以外は見えないようにしている。なお、載置台４０上にはカップ玩具１を正しく載置するための位置決め用の凹部４２が形成されている。
【００３２】
制御装置５０は、天板４１から上部が突出し、上下動可能に配置された操作部材（以下、操作ボタンという）５１と、上端に形成された軸孔５２が天板４１に設けられた支軸５３で前後に回動可能に軸支された可動部材５４とで構成され（図８参照）、操作ボタン５１はコイルバネ５５で天板４１から上方に突出するように付勢され、操作ボタン５１の下部には横長の係合穴５６が形成された係合板５７が軸体５８を介して固定されている。
【００３３】
可動部材５４は棒状に形成され、軸孔５２の下方には上記係合板５７の係合穴５６に係合する係合軸５９が形成され、下端に形成された嵌合凹部６１には付勢解除部材である磁石（以下、第２の磁石という）Ｍ２が嵌め込まれている。
【００３４】
上記構成のディスペンサ玩具２の使用態様について説明する、このディスペンサ玩具２を使用するにあたっては、事前にカップ玩具１の下室ＬＲ内の液体Ｌは上室ＵＲ内に移動させておく。
【００３５】
この状態のカップ玩具１に、液体を注ぐために、図９に示すように、カップ玩具１を載置台４０の凹部４２上に正しく載置する。操作ボタン５１を押さない状態では、図１０（ａ）に示すように、スプリング５５で操作ボタン５１は押し上げられているので、係合板５７も上昇し、この係合板５７に形成された係合孔５６に係合軸５９が係合している可動部材５４は支軸５３を中心に上方（図面上で反時計方向）に回動し、先端に設けた第２の磁石Ｍ２はカップ玩具１の上面から大きく外れた位置に移動している。この状態では第２の磁石Ｍ２とカップ玩具１の制御弁２７内の第１の磁石Ｍ１との間には吸引力が発生することはない。
【００３６】
カップ玩具１を位置決め用の凹部４２に正しく載置したら、図９に示すように、天板４１の上面から飛び出ている操作ボタン５１を指で押下する。
【００３７】
操作ボタン５１を押下すると、図１０（ｂ）に示すように、係合板５７も下降するので係合穴５６に係合している係合軸５９も押し下げられることになり、支軸５３で軸支された可動部材５４は下方（（図面上で時計方向）に回動し、先端に設けた第２の磁石Ｍ２はカップ玩具１の真上に移動することになる。
【００３８】
第２の磁石Ｍ２がカップ玩具１の真上に位置すると、第２の磁石Ｍ２によって制御弁２７に設けた第１の磁石Ｍ１が吸引され、図５（ｂ）と同様に、制御弁２７はコイルバネ５５に抗して上昇することになる。
【００３９】
制御弁２７が上昇すると、図５（ｂ）に示すように、通気筒２５の上部は開放され、下室ＬＲと上室ＵＲとは通気筒２５を介して連通することになる。通気筒２５が開放されると、上室ＵＲは密封された空間ではなくなり下室ＬＲ内の空気は通気筒２５を経由して上室ＵＲ内に流入（矢印ａ）できる状態になるので、空気より重い液体Ｌは仕切り板１３の小孔２３を通って下室ＬＲ内に流入（矢印ｂ）することになり、上室ＵＲ内の液体Ｌは全て下室ＬＲ内に移動し、あたかもディスペンサ玩具２からカップ玩具１に液体Ｌが注がれたように見える。
【００４０】
操作ボタン５１を押す時間が長ければ制御弁２７が通気筒２５を開放している時間が長くなるのでカップ玩具１に流入（上室ＵＲから下室ＬＲに）する液体Ｌの量は多くなり、押す時間を短くすれば制御弁２７が通気筒２５を開放している時間が短くなるのでカップ玩具１に流入（上室ＵＲから下室ＬＲに）する液体Ｌの量は少なくなり、操作ボタン５１を押している時間に比例して下室ＬＲ内に流入する液体Ｌの量が変わるので、リアル感のある飲料システム玩具を実現することができる。
【００４１】
しかも、カップ玩具１を傾けて下室ＬＲから上室ＵＲに液体１が流入するときは小孔２３を介して上室ＵＲ内の空気と下室ＬＲ内の液体Ｌが入れ替わるため、単位時間内の液体Ｌの流入量は少ないが、ディスペンサ玩具２を操作して上室ＵＲ内の液体Ｌを下室ＬＲ内に戻すときは、小孔２３よりも広い面積の開口部を持つ通気筒２５を介して下室ＬＲ内の空気は上室ＵＲ内に流入し、全ての小孔２３から液体Ｌが下室ＬＲ内に流入するので、液体Ｌの下室ＬＲ内への単位時間内に流入する液体の量は多くなり、ディスペンサから飲料が注がれる状態をよりリアルに再現することができる。
【図面の簡単な説明】
【００４２】
【図１】本発明に係る飲料システム玩具の斜視図
【図２】カップ玩具の構成を説明する分解斜視図
【図３】（ａ）（ｂ）は上記カップ玩具の斜視図と断面図
【図４】（ａ）（ｂ）はカップ玩具の内部の液体の移動を説明する断面図
【図５】（ａ）（ｂ）はカップ玩具の内部の液体の移動を説明する断面図
【図６】カップ玩具に磁石を接近させる状態の一例を示す説明図
【図７】（ａ）（ｂ）はカップ玩具の他の例を示す要部断面図
【図８】制御装置の構成を示す斜視図
【図９】ディスペンサ玩具の使用状態を説明する斜視図
【図１０】（ａ）（ｂ）は可動部材の動作を説明する要部断面図
【符号の説明】
【００４３】
１    カップ玩具
２    ディスペンサ玩具
１３    仕切り板
２３    小孔
２７    制御弁
３１    付勢部材
４０    載置台
５０    制御装置
５１    操作部材（操作ボタン)
５４    可動部材
Ａ    飲料システム玩具
Ｌ    液体
ＬＲ    下室
Ｍ１    第１の磁石
Ｍ２    付勢解除部材（第２の磁石）
ＵＲ    上室
【図１】
0004491022.tif 000002
【図２】
0004491022.tif 000003
【図３】
0004491022.tif 000004
【図４】
0004491022.tif 000005
【図５】
0004491022.tif 000006
【図６】
0004491022.tif 000007
【図７】
0004491022.tif 000008
【図８】
0004491022.tif 000009
【図９】
0004491022.tif 000010
【図１０】
0004491022.tif 000011